(57)【要約】      （修正有）【課題】イオン風量が多く、取り扱い容易でメンテナンスし易い空気清浄機を提供する。【解決手段】第１の空洞と第２の空洞との間に略円環形の第１の導電体領域を有して第１の電極構造１８を複数有する第１の電極１０と、第１の空洞より大径の略円形の第３の空洞と第４の空洞との間に略円環形の第２の導電体領域を有して第２の電極構造２８を複数有する第２の電極２０と、第１の電極１０と第２の電極２０との間に空隙を設けて固定する電極固定手段６０と、第１の電極構造１８と第２の電極構造２８の中心軸上に延在する複数の第３の電極構造３８を有する、第３の電極３０と、を備え、第１の電極１０と第２の電極２０に負電圧を印加し、第３の電極３０に正電圧を印加することにより、第１の電極構造１８および第２の電極構造２８と第３の電極構造３８との間でコロナ放電を発生して第１および第２の電極構造１８、２８から第３の電極構造３８と離間する方向へのイオンの風を生ずる。【選択図】図１
0003210591.tif 000002
【実用新案登録請求の範囲】
【請求項１】
導電体板に、略円形の第１の空洞と、該第１の空洞と同軸である略円環形の第２の空洞とが形成され、前記第１の空洞と前記第２の空洞との間に略円環形の第１の導電体領域を有して第１の電極構造を複数有する第１の電極と；
導電体板に、前記第１の空洞より大径の略円形の第３の空洞と、該第３の空洞と同軸である略円環形の第４の空洞とが形成され、前記第３の空洞と前記第４の空洞との間に略円環形の第２の導電体領域を有して第２の電極構造を複数有し、前記第１の電極構造と前記第２の電極構造とが同軸となるように前記第１の電極と積層される第２の電極と； 
前記第１の電極と前記第２の電極との間に空隙を設けて固定する電極固定手段と；
前記第１の電極構造と前記第２の電極構造の中心軸上で、前記第１の電極構造および前記第２の電極構造から離間した位置に延在する第３の電極構造であって、前記第１の電極構造、前記第２の電極構造、該第３の電極構造の順に配置される複数の第３の電極構造と、該複数の第３の電極構造における前記第２の電極構造からの遠位端を固定支持する第３の電極板とを有する、第３の電極と；を備え
前記第１の電極と前記第２の電極に負電圧を印加し、前記第３の電極に正電圧を印加することにより、前記第１の電極構造と前記第３の電極構造並びに前記第２の電極構造と前記第３の電極構造との間でコロナ放電を発生して前記第１の電極構造および前記第２の電極構造から前記第３の電極構造と離間する方向へのイオンの風を生ずる、
空気清浄機。
【請求項２】
前記第３の電極構造は、前記第２の電極構造から遠位部分が平板で形成され、該平板が隣接する他の前記第３の電極構造の平板と一体に形成される、
請求項１に記載の空気清浄機。
【請求項３】
前記第３の電極部分の平板で形成された部分が、前記第３の電極板に当接する部分と、前記第３の電極板を貫通する部分とを有する、
請求項１または２に記載の空気清浄機。
【請求項４】
前記第３の電極部分の平板で形成されて前記第３の電極板を貫通する部分は、前記第３の電極板に形成された貫通穴を貫通し、貫通する部分の弾性により該穴に嵌合する、
請求項３に記載の空気清浄機。
【請求項５】
前記第３の電極板は、前記第３の電極構造の平板で形成された部分に沿って折り曲げられた折り曲げ部分を有し、該折り曲げ部分で前記第３の電極部分の平板の面外方向への傾きを抑える、
請求項４に記載の空気清浄機。
【請求項６】
前記第３の電極構造の前記第２の電極構造からの近位端が、平面に形成される、
請求項１ないし５のいずれか１項に記載の空気清浄機。
【請求項７】
前記第１の電極構造と前記第３の電極構造との距離は、前記第２の電極構造と前記第３の電極構造との距離より長い、
請求項１ないし６のいずれか１項に記載の空気清浄機。
【請求項８】
導電体板に、前記第３の空洞より大径の略円形の第５の空洞が形成され、前記第５の空洞の周縁の導電体領域である第４の電極構造を複数有し、前記第４の電極構造と前記第１の電極構造および前記第２の電極構造とが同軸となるように、前記第２の電極と前記第３の電極の間に前記第１の電極および第２の電極と積層される第４の電極であって、前記電極固定手段により固定される第４の電極をさらに備え； 
前記第４の電極に負電荷が印加される、
請求項１ないし７のいずれか１項に記載の空気清浄機。
【考案の詳細な説明】
【技術分野】
【０００１】
本考案は、イオン風を発生する空気清浄機に関する。特に、ファンを備えずにイオン風を発生する空気清浄機に関する。
【背景技術】
【０００２】
従来から、コロナ放電によりイオン風を発生する装置が知られている。従来の装置では、第１電圧が供給され、第１空洞パターンを有する第１金属層及び第１空洞パターンと異なる第２空洞パターンを有する第２金属層とをギャップを設けて積層し、第１及び第２空洞パターンの中心軸に配置する電極との間に電位差を発生させて、コロナ放電によりイオン風を発生する。かかる装置では、コロナ放電によりイオン風を発生するが、イオン風の量を高めることが望まれていた。そこで、前記の電極を複数備える空気清浄機が提案されている（特許文献１、特許文献２参照）。
【先行技術文献】
【特許文献】
【０００３】
【特許文献１】特許第５４６１７３６号公報
【特許文献２】特許第５７７３２３１号公報
【考案の概要】
【考案が解決しようとする課題】
【０００４】
しかし、特許文献１および特許文献２に開示された発明では、第１金属層および第２金属層に複数の空洞パターンを形成することは開示されているが、空洞パターンの中心軸に配置する電極の構造に関しては特に言及されていない。そこで、例えば平板に棒状の電極を立設することが考えられるが、棒状の電極の安定性が悪く、取り扱いが難しく、メンテナンス時などに破損し易く、実用的とは言い難いのが実情である。特に特許文献１に開示された発明では、電極は先が尖った針状とされ、触れると危険なものであった。
【０００５】
そこで本考案は、イオン風の量が多く、かつ、取り扱いが容易で、メンテナンスをし易い空気清浄機を提案することを課題とする。
【課題を解決するための手段】
【０００６】
上記課題を解決するため、本考案の第１の態様に係る空気清浄機は、例えば図１〜３に示すように、導電体板に、略円形の第１の空洞１２と、第１の空洞１２と同軸である略円環形の第２の空洞１４とが形成され、第１の空洞１２と第２の空洞１４との間に略円環形の第１の導電体領域１６を有して第１の電極構造１８を複数有する第１の電極１０と、導電体板に、第１の空洞１２より大径の略円形の第３の空洞２２と、第３の空洞２２と同軸である略円環形の第４の空洞２４とが形成され、第３の空洞２２と第４の空洞２４との間に略円環形の第２の導電体領域２６を有して第２の電極構造２８を複数有し、第１の電極構造１８と第２の電極構造２８とが同軸となるように第１の電極１０と積層される第２の電極２０と、第１の電極１０と第２の電極２０との間に空隙を設けて固定する電極固定手段６０と、第１の電極構造１８と第２の電極構造２８の中心軸上で、第１の電極構造１８および第２の電極構造２８から離間した位置に延在する第３の電極構造３８であって、第１の電極構造１８、第２の電極構造２８、第３の電極構造３８の順に配置される複数の第３の電極構造３８と、複数の第３の電極構造３８における第２の電極構造２８からの遠位端３７を固定支持する第３の電極板３２とを有する、第３の電極３０と、を備え、第１の電極１０と第２の電極２０に負電圧を印加し、第３の電極３０に正電圧を印加することにより、第１の電極構造１８と第３の電極構造３８並びに第２の電極構造２８と第３の電極構造３８との間でコロナ放電を発生して第１の電極構造１８および第２の電極構造２８から第３の電極構造３８と離間する方向へのイオンの風を生ずる。
【０００７】
このように構成すると、第１の電極構造と第３の電極構造並びに第２の電極構造と第３の電極構造との間でコロナ放電を発生して第１の電極構造および第２の電極構造２８から第３の電極構造３８と離間する方向へのイオンの風を生ずるので、大量のイオンの風を発生することができる。かつ、電極固定手段で第１の電極と第２の電極とを固定し、また、複数の第３の電極構造を第３の電極板で固定支持するので、取り扱いが容易でメンテナンスをし易い空気清浄機となる。
【０００８】
本考案の第２の態様に係る空気清浄機は、例えば図１に示すように、第１の態様の空気清浄機１において、第３の電極構造３８は、第２の電極構造２８から遠位部分が平板３６で形成され、平板３６が隣接する他の第３の電極構造３８の平板３６と一体に形成される。このように構成すると、複数の第３の電極構造を第３の電極板に容易に固定できる。
【０００９】
本考案の第３の態様に係る空気清浄機は、例えば図１に示すように、第１または第２の態様の空気清浄機１において、第３の電極部分の平板３６で形成された部分が、第３の電極板３２に当接する部分３５と、第３の電極板３２を貫通する部分３４とを有する。このように構成すると、複数の第３の電極構造を第３の電極板に容易に固定できる。
【００１０】
本考案の第４の態様に係る空気清浄機は、例えば図１に示すように、第３の態様の空気清浄機１において、第３の電極部分の平板３６で形成されて第３の電極板３２を貫通する部分３４は、第３の電極板３２に形成された貫通穴３３を貫通し、貫通する部分３４の弾性により穴３３に嵌合する。このように構成すると、複数の第３の電極構造を第３の電極板に容易に固定できる。
【００１１】
本考案の第５の態様に係る空気清浄機は、例えば図６に示すように、第４の態様の空気清浄機１において、第３の電極板３２は、第３の電極構造３８の平板で形成された部分３６に沿って折り曲げられた折り曲げ部分３１を有し、折り曲げ部分３１で第３の電極部分３８の平板３６の面外方向への傾きを抑える。このように構成すると、複数の第３の電極構造を第３の電極板に容易に固定できる。
【００１２】
本考案の第６の態様に係る空気清浄機は、例えば図１に示すように、第１ないし第５のいずれかの態様の空気清浄機１において、第３の電極構造３８の第２の電極構造２８からの近位端３９が、平面に形成される。このように構成すると、メンテナンス等で第３の電極構造の先端に触れてしまっても、平面であるために安全である。
【００１３】
本考案の第７の態様に係る空気清浄機は、例えば図１に示すように、第１ないし第６のいずれかの態様の空気清浄機１において、第１の電極構造１８と第３の電極構造３８との距離Ｌ１は、第２の電極構造２８と第３の電極構造３８との距離Ｌ２より長い。このように構成すると、小径で密度が濃くなる第１の電極構造が、大径で密度が薄くなる第２の電極構造が第３の電極より遠くなり、コロナ放電が弱まるので、全体として密度が均等なイオン風を吹き出し易い。
【００１４】
本考案の第８の態様に係る空気清浄機は、例えば図１および図４に示すように、第１ないし第７のいずれかの態様の空気清浄機１において、導電体板に、第３の空洞２２より大径の略円形の第５の空洞４２が形成され、第５の空洞４２の周縁の導電体領域である第４の電極構造４８を複数有し、第４の電極構造４８と第１の電極構造１８および第２の電極構造２８とが同軸となるように、第２の電極２０と第３の電極３０の間に第１の電極１０および第２の電極２０と積層される第４の電極４０であって、電極固定手段６０により固定される第４の電極４０をさらに備え、第４の電極４０に負電荷が印加される。このように構成すると、第１の電極構造と第３の電極構造および第２の電極構造と第３の電極構造とに加え、第４の電極構造と第３の電極構造との間にもコロナ放電を発生して第４の電極構造から第３の電極構造と離間する方向へのイオンの風を生ずるので、大量のイオンの風を発生することができる。さらに、電極固定手段で第１の電極と第２の電極に加え、第４の電極を固定するので、取り扱いが容易でメンテナンスをし易い空気清浄機となる。
【考案の効果】
【００１５】
本考案によれば、大量のイオンの風を発生することができ、かつ、取り扱いが容易でメンテナンスをし易い空気清浄機となる。
【図面の簡単な説明】
【００１６】
【図１】本考案の実施形態である空気清浄機の要部の一部断面図である。
【図２】第１の電極の平面図である。
【図３】第２の電極の平面図である。
【図４】第４の電極の平面図である。
【図５】積層し、電極固定手段で固定した第１、第２および第４の電極の平面図である。
【図６】第３の電極の斜視図である。
【考案を実施するための形態】
【００１７】
以下、図面を参照して、本考案の実施の形態について説明する。なお、各図において、互いに同一または相当する部分には同一符号を付し、重複した説明は省略する。図１は、空気清浄機１の要部の断面図である。空気清浄機１は、要部として、積層して電極固定手段６０にて固定した第１の電極１０と第２の電極２０と第４の電極４０と、これらの電極に対向する第３の電極３０を有する。図示は省略するが、空気清浄機１は、第１の電極１０と第２の電極２０と第４の電極４０に負電圧を、第３の電極３０に正電圧を印加する電源と、これらを固定して収容し、外気を取り入れイオン風を吹出すケーシングと、空気清浄機１の作動と停止を行うスイッチとを有する。空気清浄機１では、要部で生成されたイオン風はケーシングで形成されたノズルを通って噴出される。
【００１８】
図２は、第１の電極１０の平面図である。第１の電極１０は、導電体の板で形成される。導電体の板は、典型的には鉄、銅、アルミニウム等の金属板であるが、導電性のセラミックス等で形成されてもよい。第１の電極１０には、複数の第１の電極構造１８が形成される。具体的には、第１の電極構造１８は、次のように形成される。略円形の第１の空洞１２と略円環形の第２の空洞１４とが同軸に形成される。ここで、略円形の第１の空洞１２が円形であると、第３の電極構造３８から距離が均一になるので、均一なコロナ放電が得られ、イオン風も均一になる。しかし、コロナ放電が有られる限り、略円形の第１の空洞１２は多角形、楕円、おにぎり形状等であってもよい。略円環形の第２の空洞１４は、第１の空洞１２の回りに第１の導電体領域１６を形成するように、第１の空洞１２と同軸に形成される。同軸という場合、厳密に同軸でなく、第１の導電体領域１６が形成される範囲でずれていてもよい。略円環形の第２の空洞１４は、例えば３つの扇形空洞１４ａ、１４ｂ、１４ｃと、扇形空洞１４ａ、１４ｂ、１４ｃの間の部分であって、第１の導電体領域１６を支持するための継ぎ部分１４ｄ、１４ｅ、１４ｆで構成される。扇形空洞と継ぎ部分の数は、３つに限定されず、２つでも、４つ以上でもよい。このように第１の導電体領域１６を形成することにより、第１の導電体領域１６が、特にその内縁が、第３の電極部分３８との間でコロナ放電を生ずる第１の電極構造１８となる。
【００１９】
第１の電極１０は、７つの第１の電極構造１８を有する。このように複数の第１の電極構造１８を有すると、多くのコロナ放電により大量のイオン風を生ずることができる。また、７つの第１の電極構造１８は、互いに等距離となるように配置される。このように配置すると均等なイオン風を得ることができる。なお、第１の電極構造１８の数は、７つに限られず、要求されるイオン風の量により、任意に変更することができる。第１の電極１０には、その４隅に電極固定手段用の貫通孔５０が形成される。
【００２０】
図３は、第２の電極２０の平面図である。第２の電極２０は、第１の電極１０と類似の部材であるので、異なる点を説明し、重複した説明は省略する。第２の電極２０には、複数の第２の電極構造２８が形成される。具体的には、第２の電極構造２８は、次のように形成される。第１の空洞１２に対応する略円形の第３の空洞２２と、第２の空洞１４に対応する略円環形の第４の空洞２４とが同軸に形成される。ここで、第３の空洞２２は第１の空洞１２より大径である。すなわち、第２の電極構造２８は第１の電極構造１８より大径である。略円環形の第４の空洞２４は、例えば３つの扇形空洞２４ａ、２４ｂ、２４ｃと、扇形空洞２４ａ、２４ｂ、２４ｃの間の部分であって、第２の導電体領域２６を支持するための継ぎ部分２４ｄ、２４ｅ、２４ｆで構成される。なお、第４の空洞２４の外径は、第２の空洞１４の外径と同径であるが、必ずしも同径には限定されない。これらの外径を同径とすることで、コロナ放電により生ずるイオン風の滑らかな経路を構成できる。
【００２１】
図４は、第４の電極４０の平面図である。第４の電極４０は、第１の電極１０および第２の電極２０と類似の部材であるので、異なる点を説明し、重複した説明は省略する。第４の電極４０には、第４の電極構造４８が形成される。具体的には、第４の電極構造４８は、次のように形成される。略円形の第５の空洞４２が形成される。ここで、第５の空洞４２は第２の空洞１４および第４の空洞２４と同径である。第５の空洞４２の周縁の導体領域が第４の電極構造４８となる。すなわち、第４の電極構造４８は第２の電極構造２８より大径である。なお、第５の空洞４２の外径は、第２の空洞１４および第４の空洞２４の外径と同径であるが、必ずしも同径には限定されない。これらの外径を同径とすることで、コロナ放電により生ずるイオン風の滑らかな経路を構成できる。
【００２２】
図５は、第１の電極１０、第２の電極２０および第４の電極４０を積層して、第１の電極１０側から（図１の上方から）見た平面図である。本実施例では７つの、第１の電極構造１８、第２の電極構造２８および第３の電極構造４８が同軸になるように、第１の電極１０、第２の電極２０および第４の電極４０は積層される。図１に示すように、積層された第１の電極１０、第２の電極２０および第４の電極４０は、電極固定手段６０で固定される。すなわち、第１の電極１０、第２の電極２０および第４の電極４０の導体板には電極固定手段６０が貫通する貫通孔５０が形成される。電極固定手段６０を、各電極１０、２０、４０の貫通孔５０を通して、両端をカシメたり、あるいはねじ止めすることにより固定する。電極固定手段６０は、中空ピン、割ピン、ハトメ、ねじとナットなど、公知のものでよい。その際に、第１の電極１０と第２の電極２０の間、および第２の電極２０と第４の電極４０の間にはスペーサ６２を挟むことにより、第１の電極１０と第２の電極２０の間、および第２の電極２０と第４の電極４０の間に空隙を設ける。スペーサ６２により、電極間の空隙の大きさを決めることができるので、用途に応じて変更が容易である。
【００２３】
図１および図６を参照して、第３の電極３０の構成について説明する。第３の電極３０は、第１の電極１０、第２の電極２０および第４の電極４０と対向して配置され、それらとの間にコロナ放電を生ずる電極である。第３の電極３０は、第１の電極構造１８、第２の電極構造２８および第３の電極構造４８の中心軸上に延在する棒状の第３の電極構造３８を有する。第３の電極構造３８の先端３９、すなわち、第１の電極１０、第２の電極２０および第４の電極４０側の近位端は、平面に形成される。ここでいう平面には、先端３９の周縁に丸みや面取りが設けられ、あるいは、先端３９が全体として滑らかな回転楕円形状（単軸回りの回転体）である場合を含む。
【００２４】
第３の電極構造３８の他端側（第１の電極１０、第２の電極２０および第４の電極４０からの遠位端側）は、平板３６で形成される。平板３６は、横方向（図１における左右方向）に延在し、隣接する第３の電極構造３８の平板３６と一体に形成される。即ち、図１に示す第３の電極３０では、１枚の平板３６から３本の第３の電極構造３８が突出する。図６には、１枚の平板３６から２本の第３の電極構造３８が突出するものも示される。第３の電極構造３８の数量と配置は、第１の電極構造１８、第２の電極構造２８および第３の電極構造４８の数量と配置に合わせて、適宜選択される。
【００２５】
第３の電極３０の平板３６は、第３の電極板３２に固定され、立設される。第３の電極板３２は、第１の電極１０等と同様に導体板で形成され、第１の電極１０等と平行に配置される。平板３６は、第３の電極構造３８の第１の電極１０等からの遠位端３７で第３の電極板３２に当接する部分３５を有する。さらに、平板３６から遠位端３７を超えて延在する第３の電極板３２を貫通する部分３４が形成される。電極板を貫通する部分３４は、下が開いたＣ形あるいは円環形で部材の幅が狭く形成される。すなわち、Ｃ形あるいは円環形を弾性的に狭めることが可能である。ここで、第３の電極板３２を貫通した部分にＣ形あるいは円環形の最大径（図１の左右方向）が来る。第３の電極板３２には電極板を貫通する部分３４が貫通する貫通穴３３が形成される。貫通穴３３の径（図１の左右方向）は、電極板を貫通する部分３４の最大径と同じか僅かに狭い。よって、電極板を貫通する部分３４が貫通穴３３を貫通することにより、電極板を貫通する部分３４の弾性で貫通穴３３と嵌合するとともに、第３の電極板３２を持ち上げる方向の力を生ずる。したがって、当接する部分３５と電極板を貫通する部分３４とで平板３６が第３の電極板３２を挟み、しっかりと固定される。
【００２６】
図６で示すように、第３の電極板３２は、平板３６に沿って折り曲げられた折り曲げ部分３１を有する。折り曲げ部分３１が平板３６の両側に形成されることにより、平板３６が面外方向に傾くことを防止する。このように、簡単な構造で第３の電極構造３８および平板３６は、第３の電極板３２に固定される。
【００２７】
次に、空気清浄機１の作用について説明する。第１の電極１０、第２の電極２０および第４の電極４０に負電圧を、第３の電極３０に正電圧を印加することにより、第３の電極構造３８と第１の電極構造１８との間、第３の電極構造３８と第２の電極構造２８との間、第３の電極構造３８と第４の電極構造４８との間にコロナ放電を生じる。印加する電位差は、電極構造の間隔や大きさにより変化する。第１の電極１０、第２の電極２０および第４の電極４０の電圧は、同じでよいが、異なっていてもよい。同じ電圧を印加する場合には、積層された第１の電極１０、第２の電極２０および第４の電極４０に1つの端子を接続することになるので、構造が単純になる。
【００２８】
コロナ放電により、第１の電極構造１８、第２の電極構造２８および第４の電極構造４８から、第３の電極構造３８から離れる方向（図１の上方向）のイオン風が形成される。すなわち、第１の電極構造１８、第２の電極構造２８および第４の電極構造４８で空気が＋イオン化されるので、正電圧を印加された第３の電極構造３８から離れる方向にイオン風が生成される。第１の電極構造１８、第２の電極構造２８および第４の電極構造４８、すなわち３か所でイオン風が形成されるので、大量のイオン風が流れることになる。
【００２９】
ここで、第１の電極構造１８と第３の電極構造３８との距離Ｌ１は、第２の電極構造２８と第３の電極構造３８との距離Ｌ２より長い。また、第４の電極構造４８と第３の電極構造３８の距離Ｌ４を、第２の電極構造２８と第３の電極構造３８との距離Ｌ２より短くする。小径の第１の電極構造１８では密度の高いイオン風が、より大径の第２の電極構造２８では、より密度の低いイオン風が、さらに大径の第４の電極構造４８では、更に密度の低いイオン風が生成される。しかし、第３の電極構造３８との距離が長いとコロナ放電も弱くなるので、生成されるイオン風は低密度になる。よって、Ｌ１＞Ｌ２＞Ｌ４とすることにより、全体として均等な密度のイオン風が生成され易い。特に、第１の電極構造１８、第２の電極構造２８および第４の電極構造４８を、第３電極を中心として放物面上に配置することが好ましい。放物面上に配置されることで、密度の均一なイオン風が生成され易い。なお、距離Ｌ１、Ｌ２、Ｌ４は上記には限定されず、他の関係であっても、同じ距離であってもよい。
【００３０】
空気清浄機１では、第３の電極構造３８と第１の電極構造１８、第２の電極構造２８、第４の電極構造４８の組合せを、例えば７つ備えることにより、大量のイオン風を噴出することが可能になる。このように、空気清浄機１によれば、簡便な構造で、大量のイオン風が得られる。
【００３１】
また、空気清浄機１では、積層された第１の電極１０、第２の電極２０および第４の電極４０が電極固定手段６０で固定され、一塊となっているので、取り扱いが容易である。さらに、第３の電極３０は、一列分の第３の電極構造３８が平板３６により一体にされ、当接する部分３５と貫通する部分３４とで第３の電極板３２に固定される。しかも、貫通する部分３４の弾性により第３の電極板３２の貫通穴３３に嵌合すると共に第３の電極板３２を挟んで、しっかりと固定する。加えて、第３の電極板３２の折り曲げ部分３１で平板３６を両側から挟み、第３の電極構造３８および平板３６が面外方向に傾かないように固定される。よって、第３の電極３０も簡単な構造で立体的に形成される。また、第３の電極構造３８の先端３９が平面であるので、メンテナンス時等に触れてしまっても、けがをしにくい。よって、取り扱いが容易でメンテナンスをし易い空気清浄機となる。
【００３２】
これまでの説明では、空気清浄機１は第１の電極１０、第２の電極２０および第４の電極４０を有していたが、第４の電極４０を有していなくてもよい。その分、イオン風の量は少なくなるが、用途等によっては、十分なイオン風が得られる。また、第１の電極１０、第２の電極２０、第４の電極４０に加え、第５の電極（不図示）、第６の電極（不図示）等を備えてもよい。加えられるこれらの電極は、第１の電極１０、第２の電極２０と同様に、略円環状の導電体領域を有して電極構造を複数有し、第１の電極構造１８等と同軸になるように第１の電極１０等と積層される。
【００３３】
これまでの説明では、第３の電極構造３８と平板３６は、当接する部分３５と貫通する部分３４とで、貫通する部分３４の弾性を用いて、第３の電極板３２に固定されるものとしていたが、はんだ付け等の溶着または接着剤を用いた接着または部材の折り曲げによる固定等、公知の方法で固定してもよい。
【００３４】
これまでの説明では、第３の電極構造３８と平板３６は、第３の電極板３２の折り曲げ部分３１で両側から挟まれて面外方向への傾きを抑えられるものとしていたが、平板３６と第３の電極板３２に固定されるリブあるいは、複数の平板３６間をつなぐリブ等、公知の方法で面外方向への傾きを抑えてもよい。
【産業上の利用可能性】
【００３５】
本考案による空気洗浄機は、イオン風の生成により、室内空間、車内空間、容器内空間などの空間内を漂うウィルスや化学物質を分解し、空気の除菌や消臭をすることができる。
【符号の説明】
【００３６】
１  空気清浄機
１０  第１の電極
１２  第１の空洞
１４  第２の空洞
１４ａ、ｂ、ｃ  扇形空洞
１４ｄ、ｅ、ｆ  継ぎ部分
１６  第１の導電体領域
１８  第１の電極構造
２０  第２の電極
２２  第３の空洞
２４  第４の空洞
２４ａ、ｂ、ｃ  扇形空洞
２４ｄ、ｅ、ｆ  継ぎ部分
２６  第２の導電体領域
２８  第２の電極構造
３０  第３の電極
３１  折り曲げ部分
３２  第３の電極板
３３  貫通穴
３４  電極板を貫通する部分
３５  電極板に当接する部分
３６  第３の電極構造の平板
３７  第３の電極構造の遠位端
３８  第３の電極構造
３９  第３の電極構造の先端
４０  第４の電極
４２  第５の空洞
４８  第４の電極構造
５０  貫通孔
６０  電極固定手段
６２  スペーサ
【図１】
0003210591.tif 000003
【図２】
0003210591.tif 000004
【図３】
0003210591.tif 000005
【図４】
0003210591.tif 000006
【図５】
0003210591.tif 000007
【図６】
0003210591.tif 000008
【手続補正書】
【提出日】平成29年3月29日(2017.3.29)
【手続補正１】
【補正対象書類名】実用新案登録請求の範囲
【補正対象項目名】全文
【補正方法】変更
【補正の内容】
【実用新案登録請求の範囲】
【請求項１】
導電体板に、略円形の第１の空洞と、該第１の空洞と同軸である略円環形の第２の空洞とが形成され、前記第１の空洞と前記第２の空洞との間に略円環形の第１の導電体領域を有して第１の電極構造を複数有する第１の電極と；
導電体板に、前記第１の空洞より大径の略円形の第３の空洞と、該第３の空洞と同軸である略円環形の第４の空洞とが形成され、前記第３の空洞と前記第４の空洞との間に略円環形の第２の導電体領域を有して第２の電極構造を複数有し、前記第１の電極構造と前記第２の電極構造とが同軸となるように前記第１の電極と積層される第２の電極と； 
前記第１の電極と前記第２の電極との間に空隙を設けて固定する電極固定手段と；
前記第１の電極構造と前記第２の電極構造の中心軸上で、前記第１の電極構造および前記第２の電極構造から離間した位置に延在する第３の電極構造であって、前記第１の電極構造、前記第２の電極構造、該第３の電極構造の順に配置される複数の第３の電極構造と、該複数の第３の電極構造における前記第２の電極構造からの遠位端を固定支持する第３の電極板とを有する、第３の電極と；を備え
前記第１の電極と前記第２の電極に負電圧を印加し、前記第３の電極に正電圧を印加することにより、前記第１の電極構造と前記第３の電極構造並びに前記第２の電極構造と前記第３の電極構造との間でコロナ放電を発生して前記第１の電極構造および前記第２の電極構造から前記第３の電極構造と離間する方向へのイオンの風を生ずる、
空気清浄機。
【請求項２】
前記第３の電極構造は、前記第２の電極構造から遠位部分が平板で形成され、該平板が隣接する他の前記第３の電極構造の平板と一体に形成される、
請求項１に記載の空気清浄機。
【請求項３】
前記第３の電極構造の平板で形成された部分が、前記第３の電極板に当接する部分と、前記第３の電極板を貫通する部分とを有する、
請求項２に記載の空気清浄機。
【請求項４】
前記第３の電極構造の平板で形成されて前記第３の電極板を貫通する部分は、前記第３の電極板に形成された貫通穴を貫通し、貫通する部分の弾性により該穴に嵌合する、
請求項３に記載の空気清浄機。
【請求項５】
前記第３の電極板は、前記第３の電極構造の平板で形成された部分に沿って折り曲げられた折り曲げ部分を有し、該折り曲げ部分で前記第３の電極構造の平板の面外方向への傾きを抑える、
請求項４に記載の空気清浄機。
【請求項６】
前記第３の電極構造の前記第２の電極構造からの近位端が、平面に形成される、
請求項１ないし５のいずれか１項に記載の空気清浄機。
【請求項７】
前記第１の電極構造と前記第３の電極構造との距離は、前記第２の電極構造と前記第３の電極構造との距離より長い、
請求項１ないし６のいずれか１項に記載の空気清浄機。
【請求項８】
導電体板に、前記第３の空洞より大径の略円形の第５の空洞が形成され、前記第５の空洞の周縁の導電体領域である第４の電極構造を複数有し、前記第４の電極構造と前記第１の電極構造および前記第２の電極構造とが同軸となるように、前記第２の電極と前記第３の電極の間に前記第１の電極および第２の電極と積層される第４の電極であって、前記電極固定手段により固定される第４の電極をさらに備え； 
前記第４の電極に負電荷が印加される、
請求項１ないし７のいずれか１項に記載の空気清浄機。
【手続補正２】
【補正対象書類名】明細書
【補正対象項目名】０００９
【補正方法】変更
【補正の内容】
【０００９】
本考案の第３の態様に係る空気清浄機は、例えば図１に示すように、第２の態様の空気清浄機１において、第３の電極構造３８の平板３６で形成された部分が、第３の電極板３２に当接する部分３５と、第３の電極板３２を貫通する部分３４とを有する。このように構成すると、複数の第３の電極構造を第３の電極板に容易に固定できる。
【手続補正３】
【補正対象書類名】明細書
【補正対象項目名】００１０
【補正方法】変更
【補正の内容】
【００１０】
本考案の第４の態様に係る空気清浄機は、例えば図１に示すように、第３の態様の空気清浄機１において、第３の電極構造３８の平板３６で形成されて第３の電極板３２を貫通する部分３４は、第３の電極板３２に形成された貫通穴３３を貫通し、貫通する部分３４の弾性により穴３３に嵌合する。このように構成すると、複数の第３の電極構造を第３の電極板に容易に固定できる。
【手続補正４】
【補正対象書類名】明細書
【補正対象項目名】００１１
【補正方法】変更
【補正の内容】
【００１１】
本考案の第５の態様に係る空気清浄機は、例えば図６に示すように、第４の態様の空気清浄機１において、第３の電極板３２は、第３の電極構造３８の平板で形成された部分３６に沿って折り曲げられた折り曲げ部分３１を有し、折り曲げ部分３１で第３の電極構造３８の平板３６の面外方向への傾きを抑える。このように構成すると、複数の第３の電極構造を第３の電極板に容易に固定できる。
【手続補正５】
【補正対象書類名】明細書
【補正対象項目名】００１８
【補正方法】変更
【補正の内容】
【００１８】
図２は、第１の電極１０の平面図である。第１の電極１０は、導電体の板で形成される。導電体の板は、典型的には鉄、銅、アルミニウム等の金属板であるが、導電性のセラミックス等で形成されてもよい。第１の電極１０には、複数の第１の電極構造１８が形成される。具体的には、第１の電極構造１８は、次のように形成される。略円形の第１の空洞１２と略円環形の第２の空洞１４とが同軸に形成される。ここで、略円形の第１の空洞１２が円形であると、第３の電極構造３８から距離が均一になるので、均一なコロナ放電が得られ、イオン風も均一になる。しかし、コロナ放電が有られる限り、略円形の第１の空洞１２は多角形、楕円、おにぎり形状等であってもよい。略円環形の第２の空洞１４は、第１の空洞１２の回りに第１の導電体領域１６を形成するように、第１の空洞１２と同軸に形成される。同軸という場合、厳密に同軸でなく、第１の導電体領域１６が形成される範囲でずれていてもよい。略円環形の第２の空洞１４は、例えば３つの扇形空洞１４ａ、１４ｂ、１４ｃと、扇形空洞１４ａ、１４ｂ、１４ｃの間の部分であって、第１の導電体領域１６を支持するための継ぎ部分１４ｄ、１４ｅ、１４ｆで構成される。扇形空洞と継ぎ部分の数は、３つに限定されず、２つでも、４つ以上でもよい。このように第１の導電体領域１６を形成することにより、第１の導電体領域１６が、特にその内縁が、第３の電極構造３８との間でコロナ放電を生ずる第１の電極構造１８となる。